(57)【要約】【課題】電源部が異常により動作が停止した場合でも光源の一部が消灯するのを防止することができる照明装置を提供する。【解決手段】電源部２１には、スイッチ５１を介して、電源部２２が電力を供給する光源３２１、３２２が接続されている。スイッチ５１は、制御部１０の制御により、電源部２２が異常のときに、光源３２１、３２２に電力を供給して点灯させるために閉じられる。なお、通常時には、スイッチ５１は開いており、電源部２１から光源３２１、３２２への電力供給は行われない。【選択図】図１
2013225449.tif 000002
【特許請求の範囲】
【請求項１】
複数の光源部と、該複数の光源部に電力を供給するための複数の電源部とを備える照明装置において、
前記複数の光源部それぞれに複数の電源部から電力を供給可能にしてあり、
前記複数の電源部のうち一の電源部が光源部に電力を供給しているか否かを判定する判定部と、
該判定部で電力を供給していないと判定した場合、他の電源部が前記光源部に電力を供給するように制御する制御部と
を備えることを特徴とする照明装置。
【請求項２】
前記制御部は、
前記判定部で一の電源部が光源部に電力を供給していないと判定した場合、該一の電源部を除く他の複数の電源部が前記一の電源に接続された複数の前記光源部に電力を供給するように構成してあることを特徴とする請求項１に記載の照明装置。
【請求項３】
前記複数の光源部が点灯状態にあるときに電力の供給を停止してある代替の電源部を備え、
前記制御部は、
前記判定部で一の電源部が光源部に電力を供給していないと判定した場合、前記代替の電源部が前記光源部に電力を供給するように構成してあることを特徴とする請求項１に記載の照明装置。
【請求項４】
各電源部の出力電圧、出力電流又は入力電流のいずれかを検出する検出部を備え、
前記判定部は、
前記検出部で検出した一の電源部の出力電圧、出力電流又は入力電流のいずれかが所定範囲内にない場合、前記一の電源部が光源部に電力を供給していないと判定するように構成してあることを特徴とする請求項１から請求項３までのいずれか１項に記載の照明装置。
【請求項５】
前記複数の光源部からの光量を検出する光検出部を備え、
前記判定部は、
光検出部で検出した光源部の光量が所定値より少ない場合、該光源部に電力を供給する一の電源部が光源部に電力を供給していないと判定するように構成してあることを特徴とする請求項１から請求項３までのいずれか１項に記載の照明装置。
【発明の詳細な説明】
【技術分野】
【０００１】
本発明は、複数の光源部と、複数の光源部に電力を供給するための複数の電源部とを備える照明装置に関する。
【背景技術】
【０００２】
従来、複数の光源を備える照明装置では、それぞれの光源に電力を供給する電源回路を光源の数だけ用いるものがある。例えば、光源の数だけ基板を備え、電源回路の主回路をそれぞれの基板に搭載し、複数の電源回路で共通な共通回路を１つの基板に搭載することにより、それぞれの光源に電力を供給する電源回路を複数備えるにもかかわらず部品点数を削減することができる照明装置が開示されている（特許文献１参照）。
【先行技術文献】
【特許文献】
【０００３】
【特許文献１】特開２０１２−２２８８１号公報
【発明の概要】
【発明が解決しようとする課題】
【０００４】
しかしながら、特許文献１の照明装置にあっては、光源の数だけの電源回路を備え、それぞれの電源回路が１つの光源に電力を供給しているので、仮にいずれかの電源回路に故障又は不具合が発生して光源に電力を供給することができない事態が生じた場合には、複数の光源のうちの１つが消灯となる。また、このような事態が発生すると、照明装置の発光面の一部が暗くなり、明るさにムラが生じ外観上も好ましくない。さらに、光源の一部が消灯することにより、所要の照度が得られなくなる事態も生じる。
【０００５】
本発明は斯かる事情に鑑みてなされたものであり、電源部が故障又は不具合等により動作が停止した場合でも光源の一部が消灯するのを防止することができる照明装置を提供することを目的とする。
【課題を解決するための手段】
【０００６】
本発明に係る照明装置は、複数の光源部と、該複数の光源部に電力を供給するための複数の電源部とを備える照明装置において、前記複数の光源部それぞれに複数の電源部から電力を供給可能にしてあり、前記複数の電源部のうち一の電源部が光源部に電力を供給しているか否かを判定する判定部と、該判定部で電力を供給していないと判定した場合、他の電源部が前記光源部に電力を供給するように制御する制御部とを備えることを特徴とする。
【０００７】
本発明にあっては、複数の光源部それぞれに複数の電源部から電力を供給可能にしてある。すなわち、各光源部は、複数の電源部から電力を供給される。判定部は、複数の電源部のうち一の電源部が光源部に電力を供給しているか否かを判定する。すなわち、ある光源部に電力を供給する一の電源部が当該光源部に電力を供給しているか否かを判定する。制御部は、一の電源部が光源部に電力を供給していないと判定した場合、当該一の電源部と異なる他の電源部が当該光源部に電力を供給するように制御する。これにより、ある光源部に電力を供給する一の電源部が故障又は不具合（異常）により電力を供給できなくなった場合でも、他の電源部が代わって当該光源部に電力を供給するので、光源の一部が消灯するのを防止することができる。
【０００８】
本発明に係る照明装置は、前記制御部は、前記判定部で一の電源部が光源部に電力を供給していないと判定した場合、該一の電源部を除く他の複数の電源部が前記一の電源に接続された複数の前記光源部に電力を供給するように構成してあることを特徴とする。
【０００９】
本発明にあっては、制御部は、一の電源部が光源部に電力を供給していないと判定した場合、当該一の電源部を除く他の複数の電源部が、一の電源に接続された複数の光源部に電力を供給するように制御する。これにより、一の電源部の異常時に当該一の電源部に代わって他の複数の電源部が協働で複数の光源部に電力を供給するので、他の電源部それぞれが分担する電力を少なくすることができ、バックアップする電源の負担を分散させることができる。そして、電源部の出力電力容量（出力電流容量など）を異常時に備えて大きな値にする必要がなく、電源部が大容量化、大型化することを抑制することができる。
【００１０】
本発明に係る照明装置は、前記複数の光源部が点灯状態にあるときに電力の供給を停止してある代替の電源部を備え、前記制御部は、前記判定部で一の電源部が光源部に電力を供給していないと判定した場合、前記代替の電源部が前記光源部に電力を供給するように構成してあることを特徴とする。
【００１１】
本発明にあっては、複数の光源部が点灯状態にあるときに電力の供給を停止してある代替の電源部を備える。すなわち、代替の電源部は、バックアップ専用の電源部であり、他の電源部で光源部を点灯させている状態では、動作を停止している。制御部は、一の電源部が光源部に電力を供給していないと判定した場合、代替の電源部が当該一の電源部に代わって光源部に電力を供給するように制御する。これにより、それぞれの電源部は、光源部に供給すべき電力に応じた出力電力容量を備えればよく、一の電源部の異常時に備えて予め大きな出力電力容量のものを用意する必要がなく、光源部の消費電力に応じた出力電力容量のものを具備すればよいので、電源部が大容量化、大型化することを抑制することができる。
【００１２】
本発明に係る照明装置は、各電源部の出力電圧、出力電流又は入力電流のいずれかを検出する検出部を備え、前記判定部は、前記検出部で検出した一の電源部の出力電圧、出力電流又は入力電流のいずれかが所定範囲内にない場合、前記一の電源部が光源部に電力を供給していないと判定するように構成してあることを特徴とする。
【００１３】
本発明にあっては、各電源部の出力電圧、出力電流又は入力電流のいずれかを検出する検出部を備える。判定部は、検出部で検出した一の電源部の出力電圧、出力電流又は入力電流のいずれかが所定範囲内にない場合、当該一の電源部が光源部に電力を供給していないと判定する。所定範囲は、例えば、一の電源部が光源部に所要の電力を供給している際の出力電圧、出力電流又は入力電流のいずれかの値にバラツキ等の許容誤差を加味したものである。これにより、電源部が異常となったことを容易に判定することができる。
【００１４】
本発明に係る照明装置は、前記複数の光源部からの光量を検出する光検出部を備え、前記判定部は、光検出部で検出した光源部の光量が所定値より少ない場合、該光源部に電力を供給する一の電源部が光源部に電力を供給していないと判定するように構成してあることを特徴とする。
【００１５】
本発明にあっては、複数の光源部からの光量を検出する光検出部を備える。判定部は、光検出部で検出した光源部の光量が所定値より少ない場合、当該光源部に電力を供給する一の電源部が光源部に電力を供給していないと判定する。所定値は、例えば、光源部が点灯している際の光量に比べて少ない光量である。これにより、電源部が異常となったことを容易に判定することができる。
【発明の効果】
【００１６】
本発明によれば、一の電源部が異常により光源部に電力を供給できなくなった場合でも、他の電源部が代わって光源部に電力を供給するので、光源の一部が消灯するのを防止することができる。
【図面の簡単な説明】
【００１７】
【図１】実施の形態１の照明装置の構成の一例を示すブロック図である。
【図２】実施の形態２の照明装置の構成の一例を示すブロック図である。
【図３】実施の形態３の照明装置の構成の一例を示すブロック図である。
【発明を実施するための形態】
【００１８】
（実施の形態１）
以下、本発明をその実施の形態を示す図面に基づいて説明する。図１は実施の形態１の照明装置１００の構成の一例を示すブロック図である。照明装置１００は、判定部及び制御部としての制御部１０、電源部２１、２２、２３、光源部としての光源３１１、３１２、３２１、３２２、３３１、３３２、光検出部としての照度センサ４１、４２、４３などを備える。また、電源部２１〜２３それぞれは、各電源部の出力電圧、出力電流又は入力電流のいずれかを検出する検出部２１１、２２１、２３１を備える。
【００１９】
光源３１１は、例えば、１又は複数のＬＥＤモジュールを備える。なお、ＬＥＤモジュールは、同じ発光色のものでもよく、電球色と昼白色のように発光色の異なるＬＥＤモジュールを備える構成でもよい。また、光源３１１は、ＬＥＤモジュールに限定されるものではなく、他の光源を用いてもよい。また、光源３１２、３２１、３２２、３３１、３３２も光源３１１と同様の構成を有する。なお、光源３１１と、光源３１２とで発光色を異ならせてもよい。
【００２０】
電源部２１には、スイッチ６１を介して２つの光源３１１、３１２が接続されている。電源部２１は、整流回路、電圧変換回路、定電流回路（いずれも不図示）などを備え、商用電源からの交流電圧を直流電圧に変換するとともに、変換した直流電圧を用いて所定の定電流を光源３１１、３１２へ出力する。スイッチ６１は、制御部１０の制御により、通常時に光源３１１、３１２を点灯又は消灯させるために、閉開される。これにより、電源部２１は、通常時（すなわち、いずれかの電源部が異常でないとき）には光源３１１、３１２に電力を供給する。なお、以下の説明において、通常時とは、いずれの電源部２１〜２３にも故障又は不具合などの異常が発生していない状態をいう。
【００２１】
同様に、電源部２２には、スイッチ６２を介して２つの光源３２１、３２２が接続されている。電源部２２は、整流回路、電圧変換回路、定電流回路（いずれも不図示）などを備え、商用電源からの交流電圧を直流電圧に変換するとともに、変換した直流電圧を用いて所定の定電流を光源３２１、３２２へ出力する。スイッチ６２は、制御部１０の制御により、通常時に光源３２１、３２２を点灯又は消灯させるために、閉開される。これにより、電源部２２は、通常時（すなわち、いずれかの電源部が異常でないとき）には光源３２１、３２２に電力を供給する。
【００２２】
同様に、電源部２３には、スイッチ６３を介して２つの光源３３１、３３２が接続されている。電源部２３も、整流回路、電圧変換回路、定電流回路（いずれも不図示）などを備え、商用電源からの交流電圧を直流電圧に変換するとともに、変換した直流電圧を用いて所定の定電流を光源３３１、３３２へ出力する。スイッチ６３は、制御部１０の制御により、通常時に光源３３１、３３２を点灯又は消灯させるために、閉開される。これにより、電源部２３は、通常時（すなわち、いずれかの電源部が異常でないとき）には光源３３１、３３２に電力を供給する。
【００２３】
また、電源部２１には、スイッチ５１を介して、電源部２２が電力を供給する光源３２１、３２２が接続されている。スイッチ５１は、制御部１０の制御により、電源部２２が異常のときに、光源３２１、３２２に電力を供給して点灯させるために閉じられる。なお、通常時には、スイッチ５１は開いており、電源部２１から光源３２１、３２２への電力供給は行われない。
【００２４】
また、電源部２２は、スイッチ５２を介して、電源部２３が電力を供給する光源３３１、３３２が接続されている。スイッチ５２は、制御部１０の制御により、電源部２３が異常のときに、光源３３１、３３２に電力を供給して点灯させるために閉じられる。なお、通常時には、スイッチ５２は開いており、電源部２２から光源３３１、３３２への電力供給は行われない。
【００２５】
また、電源部２３は、スイッチ５３を介して、電源部２１が電力を供給する光源３１１、３１２が接続されている。スイッチ５３は、制御部１０の制御により、電源部２１が異常のときに、光源３１１、３１２に電力を供給して点灯させるために閉じられる。なお、通常時には、スイッチ５３は開いており、電源部２３から光源３１１、３１２への電力供給は行われない。
【００２６】
検出部２１１は、電源部２１の出力電圧、出力電流又は入力電流のいずれかを検出し、検出した値を制御部１０へ出力する。また、検出部２２１は、電源部２２の出力電圧、出力電流又は入力電流のいずれかを検出し、検出した値を制御部１０へ出力する。また、同様に、検出部２３１は、電源部２３の出力電圧、出力電流又は入力電流のいずれかを検出し、検出した値を制御部１０へ出力する。
【００２７】
制御部１０は、検出部２１１で検出した電源部２１の出力電圧、出力電流又は入力電流のいずれかの値（検出値）が所定範囲内にない場合、電源部２１が光源３１１、３１２に電力を供給していないと判定する。すなわち、制御部１０は、電源部２１に故障又は不具合などの異常が発生したと判定する。なお、所定範囲は、例えば、電源部２１が光源３１１、３１２に所要の電力を供給している際の出力電圧、出力電流又は入力電流のいずれかの値にバラツキ等の許容誤差を加味したものである。制御部１０は、同様に、検出部２２１、２３１での検出値に応じて、電源部２２、２３が異常であるか否かを判定する。
【００２８】
照度センサ４１は、光源３１１、３１２からの光による照度（光量）を検出し、検出した値（検出値）を制御部１０へ出力する。また、照度センサ４２は、光源３２１、３２２からの光による照度（光量）を検出し、検出した値（検出値）を制御部１０へ出力する。また、照度センサ４３は、光源３３１、３３２からの光による照度（光量）を検出し、検出した値（検出値）を制御部１０へ出力する。
【００２９】
制御部１０は、照度センサ４１で検出した照度が所定値より少ない（小さい）場合、電源部２１が異常である（光源３１１、３１２に電力を供給していない）と判定する。また、制御部１０は、照度センサ４２で検出した照度が所定値より少ない（小さい）場合、電源部２２が異常である（光源３２１、３２２に電力を供給していない）と判定する。また、制御部１０は、照度センサ４３で検出した照度が所定値より少ない（小さい）場合、電源部２３が異常である（光源３３１、３３２に電力を供給していない）と判定する。所定値は、例えば、光源が点灯している際の照度（光量）に比べて少ない照度（光量）である。
【００３０】
制御部１０は、検出部２１１で検出した結果、あるいは照度センサ４１で検出した結果、電源部２１が異常であると判定した場合、スイッチ５３を閉じることにより、電源部２３が、異常となった電源部２１に代わって光源３１１、３１２に電力を供給する。なお、この場合、制御部１０は、電源部２３に対して、光源３３１、３３２に供給する電力に加えて、光源３１１、３１２にも電力を供給すべく出力電力（出力電流）を増加させるための制御信号を出力する。
【００３１】
制御部１０は、検出部２２１で検出した結果、あるいは照度センサ４２で検出した結果、電源部２２が異常であると判定した場合、スイッチ５１を閉じることにより、電源部２１が、異常となった電源部２２に代わって光源３２１、３２２に電力を供給する。なお、この場合、制御部１０は、電源部２１に対して、光源３１１、３１２に供給する電力に加えて、光源３２１、３２２にも電力を供給すべく出力電力（出力電流）を増加させるための制御信号を出力する。
【００３２】
また、制御部１０は、検出部２３１で検出した結果、あるいは照度センサ４３で検出した結果、電源部２３が異常であると判定した場合、スイッチ５２を閉じることにより、電源部２２が、異常となった電源部２３に代わって光源３３１、３３２に電力を供給する。なお、この場合、制御部１０は、電源部２２に対して、光源３２１、３２２に供給する電力に加えて、光源３３１、３３２にも電力を供給すべく出力電力（出力電流）を増加させるための制御信号を出力する。
【００３３】
なお、検出部２１１、２２１、２３１か、照度センサ４１〜４３かのいずれか一方だけを具備すればよい。いずれか一方を具備することにより、電源部２１〜２３が異常となったことを容易に判定することができる。
【００３４】
上述のように、照明装置１００は、複数の光源それぞれに複数の電源部から電力を供給可能にしてある。すなわち、例えば、光源３１１、３１２は、複数の電源部２１、２３から電力を供給することができるように構成してある。また、光源３２１、３２２は、複数の電源部２２、２１から電力を供給することができるように構成してある。また、光源３３１、３３２は、複数の電源部２３、２２から電力を供給することができるように構成してある。そして、制御部１０は、一の電源部が光源に電力を供給していないと判定した場合、当該一の電源部と異なる他の電源部が当該光源に電力を供給するように制御する。これにより、ある光源に電力を供給する一の電源部が故障又は不具合（異常）により電力を供給できなくなった場合でも、他の電源部が代わって当該光源に電力を供給するので、光源の一部が消灯するのを防止することができる。
【００３５】
なお、実施の形態１において、電源部の数、光源の数は図１の例に限定されるものではなく、他の数であってもよい。
【００３６】
（実施の形態２）
図２は実施の形態２の照明装置１１０の構成の一例を示すブロック図である。実施の形態２の照明装置１１０は、実施の形態１の照明装置１００と同様の構成要素を備えるが、電源部と光源との接続形態が異なる。以下、相違点について説明する。
【００３７】
図２に示すように、電源部２１には、スイッチ５１１を介して電源部２２が電力を供給する光源３２２、及びスイッチ５１２を介して電源部２３が電力を供給する光源３３２が接続されている。スイッチ５１１は、制御部１０の制御により、電源部２２が異常のときに、光源３２２に電力を供給して点灯させるために閉じられる。また、スイッチ５１２は、制御部１０の制御により、電源部２３が異常のときに、光源３３２に電力を供給して点灯させるために閉じられる。なお、通常時には、スイッチ５１１、５１２は開いており、電源部２１から光源３２２、３３２への電力供給は行われない。
【００３８】
また、電源部２２には、スイッチ５２１を介して電源部２１が電力を供給する光源３１１、及びスイッチ５２２を介して電源部２３が電力を供給する光源３３１が接続されている。スイッチ５２１は、制御部１０の制御により、電源部２１が異常のときに、光源３１１に電力を供給して点灯させるために閉じられる。また、スイッチ５２２は、制御部１０の制御により、電源部２３が異常のときに、光源３３１に電力を供給して点灯させるために閉じられる。なお、通常時には、スイッチ５２１、５２２は開いており、電源部２２から光源３１１、３３１への電力供給は行われない。
【００３９】
また、電源部２３には、スイッチ５３１を介して電源部２１が電力を供給する光源３１２、及びスイッチ５３２を介して電源部２２が電力を供給する光源３２１が接続されている。スイッチ５３１は、制御部１０の制御により、電源部２１が異常のときに、光源３１２に電力を供給して点灯させるために閉じられる。また、スイッチ５３２は、制御部１０の制御により、電源部２２が異常のときに、光源３２１に電力を供給して点灯させるために閉じられる。なお、通常時には、スイッチ５３１、５３２は開いており、電源部２３から光源３１２、３２１への電力供給は行われない。
【００４０】
上述のように、制御部１０は、一の電源部が光源に電力を供給していないと判定した場合、当該一の電源部を除く他の複数の電源部が、一の電源部に接続された複数の光源に電力を供給するように制御する。これにより、一の電源部の異常時に当該一の電源部に代わって複数の電源部が協働で複数の光源に電力を供給するので、他の電源部それぞれが分担する電力を少なくすることができ、バックアップする電源の負担を分散させることができる。そして、電源部の出力電力容量（出力電流容量など）を異常時に備えて大きな値にする必要がなく、電源部が大容量化、大型化することを抑制することができる。
【００４１】
図２の例では、３つの電源部を備え、それぞれの電源部には２つの光源が接続された構成であるので、１つの電源部が故障した場合、他のすべての電源部、すなわち残りの電源部は２つ存在するので、当該２つの電源部が、故障した電源部に接続された２つの光源に対して別個に電力を供給することになり、残りの電源部の負担を均等にすることができる。
【００４２】
また、図２の例に限定されるものではない。例えば、４つの電源部を備え、それぞれの電源部には２つの光源が接続された別の構成とすることもできる。当該別の構成では、１つの電源部が故障した場合、残りの電源部は３つ存在するので、当該３つの電源部のうち２つの電源部で、故障した電源部に接続された２つの光源に電力を供給するようにすればよい。すなわち、２つの電源部から個別に２つの光源に電力を供給する。
【００４３】
（実施の形態３）
図３は実施の形態３の照明装置１２０の構成の一例を示すブロック図である。実施の形態１、２では、すべての電源部は通常時に動作する構成であったが、実施の形態３では、通常時には動作しないバックアップ専用の電源部を備えるものである。
【００４４】
実施の形態３では、実施の形態１、２に例示した光源３３１、３３２はなく、電源部２３は、複数の光源３１１、３１２、３２１、３２２が点灯状態にあるときに電力の供給を停止してある代替の電源部であり、いわゆるバックアップ専用の電源部である。以下、実施の形態１と相違する点について説明する。
【００４５】
電源部２３には、スイッチ６３１を介して、電源部２１が電力を供給する光源３１１、３１２が接続されている。スイッチ６３１は、制御部１０の制御により、電源部２１が異常のときに、光源３１１、３１２に電力を供給して点灯させるために閉じられる。なお、通常時には、スイッチ６３１は開いており、電源部２３から光源３１１、３１２への電力供給は行われない。
【００４６】
また、電源部２３には、スイッチ６３２を介して、電源部２２が電力を供給する光源３２１、３２２が接続されている。スイッチ６３２は、制御部１０の制御により、電源部２２が異常のときに、光源３２１、３２２に電力を供給して点灯させるために閉じられる。なお、通常時には、スイッチ６３２は開いており、電源部２３から光源３２１、３２２への電力供給は行われない。
【００４７】
上述のとおり、代替の電源部２３は、バックアップ専用の電源部であり、他の電源部２１、２２で光源を点灯させている状態では、動作を停止している。制御部１０は、一の電源部が光源に電力を供給していないと判定した場合、代替の電源部２３が当該一の電源部に代わって光源に電力を供給するように制御する。これにより、それぞれの電源部２１、２２は、光源に供給すべき電力に応じた出力電力容量を備えればよく、一の電源部の異常時に備えて予め大きな出力電力容量のものを用意する必要がなく、光源の消費電力に応じた出力電力容量のものを具備すればよいので、電源部が大容量化、大型化することを抑制することができる。
【００４８】
上述の実施の形態１〜３において、照明装置は、調光機能、調色機能を具備するようにしてもよい。
【符号の説明】
【００４９】
１０  制御部
２１、２２、２３  電源部
３１１、３１２、３２１、３２２、３３１、３３２  光源
２１１、２２１、２３１  検出部
４１、４２、４３  照度センサ
【図１】
2013225449.tif 000003
【図２】
2013225449.tif 000004
【図３】
2013225449.tif 000005